(57)【要約】【課題】  風等で転倒しても壊れ難く、持ち去り難い収納箱設置構造を提供する。【解決手段】  収納箱１に脚部２を設けて床に載置する収納箱設置構造であって、収納箱１の脚部２は、収納箱１の重量を増加させるための錘部材２２と、錘部材２２を支持して収納箱１に一体化させるための支柱２１とを有し、支柱２１は床上に配置される幅広の底板２１ａと、底板２１ａの中央に立設されて収納箱１に連結された柱部２４とを有する一方、錘部材２２は、柱部２４を挿通する穴２２ａを有して柱部２４を囲むように底板２１ａ上に配置される。【選択図】  図１
2019025045.tif 000002
【特許請求の範囲】
【請求項１】
収納箱に脚部を設けて床に載置する収納箱設置構造であって、
前記脚部は、前記収納箱の重量を増加させるための錘部材と、前記錘部材を支持して前記収納箱に一体化させるための支柱とを有し、
前記支柱は、床上に配置される幅広の底板と、前記底板の中央に立設されて前記収納箱に連結された柱部とを有する一方、
前記錘部材は、前記柱部を挿通する穴を有して前記柱部を囲むように前記底板上に配置されることを特徴とする収納箱設置構造。
【請求項２】
収納箱に脚部を設けて床に載置する収納箱設置構造であって、
前記脚部がコンクリートブロックから成り、当該コンクリートブロックが前記収納箱の底部に直接或いは中継部材を介して連結されて成ることを特徴とする収納箱設置構造。
【請求項３】
収納箱を壁面に取り付ける収納箱設置構造であって、
前記収納箱の壁面への取付面には、前記収納箱の重量を増加させるための錘部材が直接或いは中継部材を介して連結され、当該錘部材を介して前記収納箱が壁面に取り付けられることを特徴とする収納箱設置構造。
【請求項４】
収納箱を壁面に取り付ける収納箱設置構造であって、
壁面近傍となる前記収納箱の周囲の少なくとも１箇所に前記収納箱の重量を増加させるための錘部材が直接或いは中継部材を介して連結されていることを特徴とする収納箱設置構造。
【発明の詳細な説明】
【技術分野】
【０００１】
本発明は、玄関先等に設置して居住者が不在の時に配達された物を一時保管するために設置する収納箱の設置構造に関する。
【背景技術】
【０００２】
配達された宅配物や郵便物等を一時保管する戸建て住宅向けの収納箱としては、例えば特許文献１に開示されている構造のものがある。この特許文献１に開示されている宅配部収納箱は、広く知られているコンクリートブロックを錘として底板上に配置し、底板から２本の支柱を立設して、この支柱に宅配物を収容して保管するボックスを取り付けた。
【先行技術文献】
【特許文献】
【０００３】
【特許文献１】特開２０１７−６３９６１号公報
【発明の概要】
【発明が解決しようとする課題】
【０００４】
上記特許文献１の構造は、錘としてのコンクリートブロックが左右に配置した支柱に把持されているため、コンクリートブロックの取り外しは容易ではなく、収納箱の移動、更には持ち去りが難しく盗難を防止できた。
しかしながら、ここで使用されているコンクリートブロックは割れ易く、強風等の外力により台座が転倒したら割れて支柱から外れてしまうことが考えられ、そうなると収納箱は容易に持ち去ることが可能となってしまう。
【０００５】
そこで、本発明はこのような問題点に鑑み、風等で転倒しても壊れ難く、持ち去り難い収納箱設置構造を提供することを目的としている。
【課題を解決するための手段】
【０００６】
上記課題を解決する為に、請求項１の発明は、収納箱に脚部を設けて床に載置する収納箱設置構造であって、脚部は、収納箱の重量を増加させるための錘部材と、錘部材を支持して収納箱に一体化させるための支柱とを有し、支柱は、床上に配置される幅広の底板と、底板の中央に立設されて収納箱に連結された柱部とを有する一方、錘部材は、柱部を挿通する穴を有して柱部を囲むように底板上に配置されることを特徴とする。
この構成によれば、収納箱自体が軽くても脚部には錘部材が取り付けられているため、床に載置するだけでも収納箱の持ち去りを防ぐことができる。また、強風等により転倒して支柱が変形しても或いは錘部材の周囲が欠けたとしても、錘部材が支柱から外れることがなく、壊れにくい。加えて、収納箱自体は従来よりある箱体を使用することが可能である。
【０００７】
請求項２の発明は、収納箱に脚部を設けて床に載置する収納箱設置構造であって、脚部がコンクリートブロックから成り、当該コンクリートブロックが収納箱の底部に直接或いは中継部材を介して連結されて成ることを特徴とする。
この構成によれば、収納箱自体が軽くても脚部がコンクリートブロックで形成されるため、床に載置するだけでも収納箱の持ち去りを防ぐことができる。またコンクリートブロックは直接或いは中継部材を介して収納箱に連結されるため、強風等により箱体が転倒してコンクリートブロックが欠けても引き続き収納箱との連結状態を維持できる。加えて、収納箱自体は従来よりある箱体を使用することが可能である。
【０００８】
請求項３の発明は、収納箱を壁面に取り付ける収納箱設置構造であって、収納箱の壁面への取付面には、収納箱の重量を増加させるための錘部材が直接或いは中継部材を介して連結され、当該錘部材を介して収納箱が壁面に取り付けられることを特徴とする。
この構成によれば、収納箱自体が軽くても錘部材が連結されているため重く、持ち去られるのを防ぐことができる。また、錘部材は壁面に密着する部位に配置されるため、壁面に対する負荷は最小限に抑えることができる。
【０００９】
請求項４の発明は、収納箱を壁面に取り付ける収納箱設置構造であって、壁面近傍となる収納箱の周囲の少なくとも１箇所に収納箱の重量を増加させるための錘部材が直接或いは中継部材を介して連結されていることを特徴とする。
この構成によれば、収納箱自体が軽くても錘部材が連結されているため重く、持ち去られるのを防ぐことができる。また、錘部材は取り付けられる壁面近傍に配置されるため、壁面に対する負荷は最小限に抑えることができる。
【発明の効果】
【００１０】
本発明によれば、収納箱自体が軽くても脚部には錘部材が取り付けられているため、或いは錘部材で構成されるため、床に載置するだけでも収納箱の持ち去りを防ぐことができる。また、強風等により転倒して錘部材の周囲が欠けたとしても、錘部材と収納箱との連結状態は維持されて壊れ難い。加えて、収納箱自体は従来よりある箱体を使用することが可能である。
また、壁面に取り付ける構成であっても、収納箱には錘部材が取り付けられているため、収納箱の持ち去りを防ぐことができるし、錘部材は壁面に密着するよう或いは壁面の近傍に配置されるため、錘部材を取り付けた収納箱が重くても壁面に対する負荷は最小限に抑えることができる。
【図面の簡単な説明】
【００１１】
【図１】本発明に係る収納箱設置構造の一例を示す斜視図である。
【図２】図１の収納箱設置構造の分解説明図であり、（ａ）は支柱から錘部材を分離した状態、（ｂ）は錘部材を支柱に組み付けた状態、（ｃ）は脚部を収納箱に取り付ける説明図をそれぞれ示している。
【図３】収納箱設置構造の他の例を示し、（ａ）は斜視図、（ｂ）は脚部の説明図である。
【図４】収納箱設置構造の他の例を示し、（ａ）は斜視図、（ｂ）、（ｃ）は中継部材の説明図である。
【図５】壁面に取り付ける収納箱設置構造の一例を示す説明図である。
【図６】壁面に取り付ける収納箱設置構造の他の例を示す説明図である。
【図７】壁面に取り付ける収納箱設置構造の他の例を示す説明図である。
【発明を実施するための形態】
【００１２】
以下、本発明を具体化した実施の形態を、図面を参照して詳細に説明する。図１，２は本発明に係る収納箱設置構造の一例を示し、図１は斜視図、図２は分解説明図であり床に載置する構成を示している。収納箱は、宅配物や郵便物を収容する収納箱１と、その下部に設けられた脚部２とで構成され、図２に示すように脚部２は支柱２１に錘部材２２が装着されて形成され、収納箱１に錘部材２２を連結することで持ち去り難くした設置構造を構成している。
【００１３】
収納箱１は、上下左右及び背面の各面が金属板で閉塞された箱本体１１と、開放された前面を閉塞する扉１２とから成り、前面が開閉可能に構成されている。
支柱２１は金属製で、図２（ａ）に示すように床上に配置されて錘部材２２が載置可能な四角形板状の底板２１ａと、底板２ａの中央に起立配置された柱部２４とを有している。柱部２４は、錘部材２２を貫通して錘部材２２を支持する支持柱２１ｂと、支持柱２１ｂの上部に突設された棒状のネジ部２１ｃとを有している。
【００１４】
錘部材２２はコンクリート製のブロック体で、図２（ａ）に示すように中央に支柱２１を挿通する貫通孔２２ａが形成されている。この貫通孔２２ａは、支持柱２１ｂの形状に合わせて形成され、図２（ｂ）に示すように支柱２１を挿通して底板２１ａに載置された錘部材２２は、支持柱２１ｂに支持されて保持される。
【００１５】
こうして形成された脚部２は、収納箱１の下面４隅に連結される。連結は、図２（ｃ）に示すように収納箱１の底面に穿設された孔（図示せず）にネジ部２１ｃが挿通され、収納箱１の内部に配置されたナット２３をネジ部２１ｃに螺合することで成され、支柱２１は収納箱１に連結される。すなわち、脚部２は収納箱１に連結固定される。
【００１６】
このように、収納箱１の箱本体１１が軽くても脚部２には錘部材２２が取り付けられているため、床に載置するだけでも収納箱１の持ち去りを防ぐことができる。また、強風等により転倒して支柱２１が変形しても或いは錘部材２２の周囲が欠けたとしても、錘部材２２が支柱２１から外れることがなく壊れにくい。加えて、収納箱１自体は従来よりある箱体を使用することが可能である。
【００１７】
尚、錘部材２２は立方体形状のコンクリートブロックとし、４個のコンクリートブロックを使用して脚部２を形成しているが、前後或いは左右の錘部材２２を一体化しても良い。また、コンクリート製でなくとも良く、樹脂製の中空ブロック体に水や砂等を注入して満たして形成しても良いし、金属で形成しても良い。
【００１８】
図３は、床に載置する収納箱設置構造の他の形態を示し、（ａ）は斜視図、（ｂ）は脚部２の構造を示している。上記図１の形態とは支柱を持たず錘部材２２としてのコンクリートブロック２５が収納箱１に直接連結されて脚部２を構成している。コンクリートブロック２５は直方体形状を成して、長手を前後方向に向けて配置され、収納箱１の下部の左右に１本ずつ配置されている。
また、コンクリートブロック２５の連結面となる上面には、長手方向に直線状の溝２５ａが設けられており、任意の位置で上方から挿入されたボルト２６を螺入可能としている。そして、収納箱１の内部から底面に設けられている孔（図示せず）を介してボルト２６を挿通し、溝２５ａに螺入して連結固定される。
【００１９】
このように、収納箱１の箱本体１１が軽くても脚部２が錘部材２２としてのコンクリートブロック２５自体で形成されるため、床に載置するだけでも収納箱１の持ち去りを防ぐことができる。またコンクリートブロック２５は直接収納箱１に連結されるため支柱２１を必要としないし、強風等により箱体が転倒してコンクリートブロックが欠けても引き続き連結状態を維持でき、壊れにくい。加えて、収納箱自体は従来よりある箱体を使用することが可能である。
【００２０】
尚、この構成においては、コンクリートブロック２５にボルト２６を螺入するためのナットを埋め込んでも良いし、ボルト自体を埋め込んで収納箱１の内部にナットを配置して連結しても良い。また、ボルト２６を使用せずに例えばエポキシ樹脂を主成分とする接着剤により、コンクリートブロック２５と収納箱１との平坦な面同士を接着しても良い。
【００２１】
図４は、収納箱設置構造の更に他の形態を示し、（ａ）は中継部材２７を介してコンクリートブロック２７を連結した斜視図、（ｂ）は中継部材２７の斜視図、（ｃ）は中継部材２７の他の例を示している。
中継部材２７は、収納箱１の奥行きにほぼ一致した長さを有する帯状金属板を幅方向に折り曲げて形成され、図４（ｂ）、（ｃ）に示すようにコンクリートブロック２５に密着させる第１の辺２７ａと収納箱１に密着させる第２の辺２７ｂを有し、両者の間に起立片２７ｃを配置して段差を設けている。
【００２２】
このような中継部材２７を使用することで、収納箱１の孔位置とコンクリートブロック２５のボルト止め位置とが合致しなくても、中継部材２７の第１の辺２７ａにコンクリートブロック２５にボルト止めする穴を設け、第２の辺２７ｂに収納箱１にボルト止めする穴を設ければ両者を良好に連結できる。そのため、収納箱１及びコンクリートブロック２５が市販の汎用品であっても、両者を良好に連結することが可能となる。
【００２３】
また、コンクリートブロック２５が図３に示すような構成で溝２５ａが設けられている場合は、中継部材２７の１辺を溝２５ａにはめ込む形状とすれば、ボルトを使用すること無く連結でき、中継部材２７と収納箱１の間のみボルト止め等実施すれば良く中継部材２７を活用できる。
【００２４】
図５，６は収納箱設置構造の他の形態を示し、収納箱１を壁面に固定する設置構造を示している。図５は収納箱１の側面を壁面Ｗに固定する形態、図６は背面を壁面Ｗに固定する形態をそれぞれ示している。
壁面Ｗに取り付ける設置形態であっても錘部材２２が使用され、錘部材２２は収納箱１の壁面への取付面に取り付けられる。錘部材２２は上記形態と同様に直方体形状であり、収納箱１にボルト止め或いは接着剤で固着される。また、壁面Ｗに対してボルト等で連結固定される。尚、この設置形態の場合、錘部材２２には、壁面Ｗに固定するためのボルト挿通孔等が設けられている。
【００２５】
このように、収納箱１自体が軽くても錘部材２２が連結されているため重く、持ち去られるのを防ぐことができる。また、錘部材２２を取り付けたことで収納箱１が重くなるが、錘部材２２自体は壁面Ｗに密着する位置に取り付けられるため、壁面Ｗに対する負担を軽減できる。
【００２６】
尚、床に載置する構成とは異なり壁面Ｗに固定する形態では、錘部材２２の収納箱１への取り付け位置や個数は自由度を有し、図７に示すように収納箱１と壁面Ｗの間に介在させずに収納箱１上部に固着しても良いし、底面に固着（図示せず）しても良い。更には周囲４面全てに配置しても良く、何れの場合も壁面Ｗの近傍に配置することで、収納箱１に重量が増しても壁面Ｗへの負担を軽減できる。
また、錘部材２２を直方体形状として説明したが、立方体形状等比較的小さい場合は、更に多く取り付けても良い。
【符号の説明】
【００２７】
１・・収納箱、２・・脚部、２１・・支柱、２１ａ・・底板、２１ｂ・・支持柱、２２・・錘部材、２２ａ・・穴、２４・・柱部、２５・・コンクリートブロック、２７・・中継部材。
【図１】
2019025045.tif 000003
【図２】
2019025045.tif 000004
【図３】
2019025045.tif 000005
【図４】
2019025045.tif 000006
【図５】
2019025045.tif 000007
【図６】
2019025045.tif 000008
【図７】
2019025045.tif 000009